(57)【特許請求の範囲】
【請求項１】
加入者ユニット（１）と市内交換機（ＬＥ）の間で、ＩＳＤＮ回線（９，１２）を介して接続を確立する方法であって、ＩＳＤＮ回線はディジタルトラヒック用の１つのＤチャネルと少なくとも２つのＢチャネルを持ち、加入者ユニットは加入者の装置（３，４）のための少なくとも１つのアナログインターフェースと少なくとも１つのディジタルインターフェースを持ち、前記接続には前記少なくとも１つのアナログインターフェースの１つを使用する方法が、
前記市内交換機において、前記接続のために少なくとも２つのＢチャネルの１つを選択し、
前記市内交換機から前記加入者ユニットへ前記選択したＢチャネルの識別情報を含むメッセージをＶ５ＰＳＴＮプロトコルに基づくプロトコルを使用してＤチャネル上に送信して、前記選択したＢチャネル上で接続を確立する、
ステップを含むことを特徴とする前記方法。
【請求項２】
請求項１に記載の方法であって、前記選択したＢチャネルの識別情報は、前記Ｖ５ＰＳＴＮプロトコル前記のＬ３ａｄｄｒフィールド内に指定される、前記方法。
【請求項３】
請求項１または２に記載の方法であって、前記接続が前記加入者ユニット（１）によって始められた場合に、
前記市内交換機において、Ｄチャネル上で、Ｂチャネルが選択されなかったことを示す選択Ｂチャネル識別情報を受信するステップを更に含み、
前記メッセージが接続確立承認メッセージである、前記方法。
【請求項４】
請求項１または２に記載の方法であって、前記接続の終点が前記加入者ユニット（１）であり、前記メッセージが接続確立メッセージである、前記方法。
【請求項５】
請求項３に記載の方法であって、
前記市内交換機において、前記加入者ユニットから要求されたサービス機能を表す情報を前記プロトコルを使用してＤチャネル上で受信するステップ、を更に含む前記方法。
【請求項６】
加入者の装置（３，４）のための少なくとも１つのアナログインターフェースと少なくとも１つのディジタルインターフェースを持ち、市内交換機（ＬＥ）とディジタルトラヒック用の１つのＤチャネルと少なくとも２つのＢチャネルを持つＩＳＤＮ回線（９，１２）を介して接続する加入者ユニット（１）であって、
前記市内交換機へ、Ｖ５ＰＳＴＮプロトコルに基づくプロトコルを使用して前記Ｄチャネル上でアナログ回線信号を送信する手段（２）と、
前記市内交換機から前記プロトコルを使用して送信された、加入者ユニットと市内交換機間の接続に使用されるべき選択Ｂチャネルの識別情報を、Ｄチャネル上で受信する手段（２，５）、
を含むことを特徴とする前記加入者ユニット。
【請求項７】
請求項６に記載の加入者ユニットであって、前記アナログ回線信号を送信する手段（２）が要求されたサービスを表す情報を送信するのに適合している、前記加入者ユニット。
【請求項８】
ＰＳＴＮの機能と、ディジタルトラヒック用の１つのＤチャネルと少なくとも２つのＢチャネルを持つ少なくとも１つのＩＳＤＮ回線（９，１２）のためのインターフェースをもつＩＳＤＮの機能の双方をサポートする市内交換機（ＬＥ）であって、
ＩＳＤＮ回線上で接続を確立するための要求を受信する手段と、
前記接続のためのＢチャネルを選択する手段（１０）と、
前記選択したＢチャネルの識別情報をＶ５ＰＳＴＮプロトコルに基づくプロトコルを使用してＤチャネル上に送信する手段（１０）、
を含むことを特徴とする前記市内交換機。
【請求項９】
請求項８に記載の市内交換機であって、前記送信する手段が、前記選択したＢチャネルの識別情報を前記プロトコルのＬ３ａｄｄｒフィールドで送信するのに適合している、前記市内交換機。
【請求項１０】
請求項８または９に記載の市内交換機であって、更に、Ｄチャネル上でアナログ回線信号を受信する手段（１０）を含む、前記市内交換機。
【請求項１１】
請求項８から１０のいずれか１つに記載の市内交換機であって、２つ以上の数のＢチャネルが同じトラヒックサービスに占有されている場合は、占有されているＢチャネルを新しい呼のために切断する手段（１０）を更に含む前記市内交換機。
【請求項１２】
請求項８から１１のいずれか１つに記載の市内交換機であって、新しい呼の方がＢチャンネルを占有している呼より高い優先度を持つ場合は、占有されているＢチャンネルを新しい呼のために、少なくとも一時的に、切断する手段（１０）を更に含む前記市内交換機。
【発明の詳細な説明】
この発明は、ディジタルトラフィック用の通信回線、例えばＩＳＤＮアクセス、で加入者ユニットと市内交換機の間のインターフェースを通して通信を確立するための装置と方法に関する。
発明の技術分野
一般に電話は音声伝送用のアナログ電話回線を経てＰＳＴＮ（公衆交換電話網）により市内交換機（ＬＥ）に接続する。例えばパーソナルコンピュータからディジタルデータを送信するには、コンピュータと電話回線の間にモデムを挿入してディジタルデータをアナログ信号に変換する。加入者が例えばインターネットに接続したい場合は、ＩＳＤＮ（総合サービスディジタル網）に接続するためにＬＥは加入者の通話毎にモデムを１台持たなければならない。また、モデムを用いるとディジタル伝送が遅くなる（約２８キロビット／秒）。家庭や会社でコンピュータや端末の使用が増えており、したがって高いビットレートでディジタル伝送する必要があるので、これは欠点である。
アナログ電気通信回線を用いるディジタル通信に比べるとディジタル通信用のディジタル通信レートは約１２８キロビット／秒まで上がるので、家庭の電気通信トラフィックでも加入者ＰＳＴＮサービスからＩＳＤＮアクセスを用いることが次第に望ましくなった。
関連技術の説明
ディジタルデータも音声も電話網で伝送することができるのはＩＳＤＮ−ＢＡ（総合サービスディジタル網・基本アクセス）であって、加入者端末からＬＥに直接送信することができる。従来の技術では、加入者にはＬＥへの送信の終端となる網終端（ＮＴ）が設けられている。端末機器ＴＥ（コンピュータやその他の端末装置など）はＮＴに直接接続するが、電話はＮＴとの間で音声を伝送するのにＡ／ＤおよびＤ／Ａ変換装置（ＴＡ）を介して接続する。
ＮＴのアナログ／ディジタル変換およびディジタル／アナログ変換は、電話機に出入りする音声送信をＮＴとＬＥの間でＩＳＤＮ回線を通して伝送できるように変換するので、ＰＳＴＮで伝送に使うことのできる特定の機能に関して問題が起こる。現在、アナログインターフェースからのＰＳＴＮ信号は標準ＩＳＤＮ−ＢＡによりＩＳＤＮにマップしている。このマッピングを行うことによりＰＳＴＮからの呼はＬＥでＩＳＤＮとして認識されるが、このため既設のＰＳＴＮに対するサービスが制限される。例えば、発信番号確認（ＣＬＩ）などのサービスに加入することは出来ない。
電話通信にＩＳＤＮ−ＢＡを用いる従来の方法の別の問題点は、加入者端末に２種類のユニット（ＮＴとＴＡ）を追加しなければならないことである。
アナログ電話およびコンピュータからＩＳＤＮ回線へのインターフェースについては米国特許番号第５，３０５，３１２号に述べられている。この場合は記憶されたプログラムを有するプロセッサにより、アナログおよびディジタルインターフェース回路のＩＳＤＮ回線へのアクセスを制御する。アナログインターフェースを持つ電話とディジタルインターフェースを持つコンピュータをＩＳＤＮバスに並列に接続する。このプロセッサにより、アナログ電話用の交換制御ＩＳＤＮ機能、例えば話中着信サービスなどの常駐させなければならない自明の呼制御情報機能、にアクセスすることができる。しかしＣＬＩなどのより高度の最新のサービスは、米国特許番号第５，３０５，３１２号に述べられている装置と方法では支援されず、電話機のアナログ信号の転送をＩＳＤＮ送信に適応させるには、上にのべたＴＡ装置を用いる従来の方法と同様に加入者端末でマッピングを行うしかない。
発明の目的
この発明の目的は、加入者がＰＳＴＮからＩＳＤＮ−ＢＡに高度化するときに、ＰＳＴＮが提供する音声伝送用のサービスと同じサービスが得られるようにする方法と装置を与えることである。
この発明の別の目的は、加入者端末で追加するユニットが１種類ですむ方法と装置を与えることである。
この発明の更に別の目的は、伝送が音声かデータかに関わりなく、加入者端末とこれが接続する網の間のＢチャンネルを随意に選択できる方法と装置を与えることである。
これらの目的は特許請求項１に示す特徴を有する方法により達せられ、この方法を実行するための装置は請求項６に開示されている。この発明の別の機能と改良点は従属請求項に開示されている。
この発明は、ディジタルトラフィック用の通信回線、例えばＩＳＤＮ回線、で加入者ユニットと市内交換機の間のインターフェースを通して通信を確立するための方法と装置に関する。パッケージは、加入者ユニットと市内交換機の間の電話通信のための、ＰＳＴＮ音声通信と共に少なくともサービス機能を含む、プロトコルに従って伝送する。このプロトコルとして、アクセス網と市内交換機の間のインターフェースを通して本来ＰＳＴＮ音声通信を行う種類のプロトコルを修正して用いてよい。呼の設定のときに、プロトコルの一部（例えばアドレスフィールド）により、通信用のＢチャンネルを特定の呼に随意に割り当ててよい。このプロトコルは、加入者ユニット内の電話機に接続するアクセスと市内交換機内の呼制御との間の通信を支援することができる。利用可能なＢチャンネルを加入者の呼に割り当てる優先手続き操作をプロトコルに書き込んでよい。プロトコルは要求に応じて全ての利用可能なＢチャンネルでディジタルＩＰパッケットを送るよう支援してよい。また、２つ以上のＢチャンネルが同じトラフィックサービスに占有されている場合、または新しい呼の方がＢチャンネルを占有している呼より高い優先度を有する場合は、プロトコルは占有されているＢチャンネルを新しい呼のために切断することができる。
欧州電気通信標準化機構（ＥＴＳＩ）は、２つのシステム（アクセス網（ＡＮ）と市内交換機（ＬＥ））の間のインターフェースとして柔軟な（準備された）情報Ｂチャンネル（ベアラ（bearer）チャンネル）割当てを行うことのできるＶ型の標準、例えばＶ５．１インターフェース（ＥＴＳ３００  ３２４−１）、を作成した。Ｖ５インターフェース標準が支援するアクセスの種類はＩＳＤＮ−ＢＡおよびＰＳＴＮサービスである。ＩＳＤＮ−ＢＡはディジタル通信用であり、ＰＳＴＮは音声通信用である。
しかしこの標準は同じアクセスディジタル部（例えばＩＳＤＮ−ＢＡ）によりＰＳＴＮとＩＳＤＮ−ＢＡを混合したものは含んでいない。そしてこの発明が着目するのはこれである。この標準インターフェースの一部（すなわちＥＴＳ３００  ３２４−１：１９９４、節１３）を少し修正すれば、加入者端末とＬＥの間のプロトコルとして用いることができる。このようにこの発明は、Ｖ５．１インターフェース標準（ＥＴＳ３００  ３２４−１、特に節１３）のＰＳＴＮ送信原理を修正して、ＡＮとＬＥの間以外の通信にも、また特に同じトラフィック回線上の混合ＰＳＴＮおよびＩＳＤＮ−ＢＡトラフィックにも、用いることのできる方法と装置を与える。
ＰＳＴＮは欧州内の各国でも他の国々でも独特である。Ｖ５．１標準は、ＰＳＴＮ端末とＬＥトラフィック処理機能（呼制御）の間のアナログ回線信号を転送するための上記のプロトコルを規定している。
しかしこの標準はＰＳＴＮ用のＢチャンネルを選択する方法については述べていない。というのは、以前は選択することができなかったから、すなわちＰＳＴＮのＢチャンネルは常に固定的に割り当てられた６４キロビット／秒だったからである。ＰＳＴＮとＩＳＤＮ−ＢＡの混合回線に同じアクセスによる２つのＢチャンネルがある場合は、両ＢチャンネルともＩＳＤＮ−ＢＡトラフィックにより所有されていた。
この発明は、加入者端末内の網終端ユニット（ＮＴＮとも呼ぶ）内とその特定の加入者端末に関するＬＥ内に特定のプロトコルを設けることにより、この問題を解決する方法を与える。ＰＳＴＮトラフィック用のこのプロトコルは、ＰＳＴＮ音声通信と所望のサービス機能を含むパッケージを、ＩＳＤＮ−ＢＡ回線を通してこれらの装置の間に伝送する。またこのプロトコルにより、ＬＥはトラフィック回線内のＢチャンネルの中の１つのＢチャンネルを２つの装置の間に随意に割り当てることができる。
このように、このプロトコルはＬＥから加入者装置までのＤチャンネルにより、実際のトラフィックＰＳＴＮ通信用に選択されるＢチャンネルで通信する機能を含む。このためのプログラミングは当業者には明らかであるのでここに述べない。
既存の標準を、したがってすでに規定されている機構をできるだけ用いると都合がよい。加入者端末で網端末ユニットに接続するのは１台の加入者電話機だけまたは限られた台数の加入者電話機だけなので、上に述べたＶ５．１プロトコル内のＬ３ａｄｄｒは、アクセス網内の異なる論理ユーザポートへのトラフィックを制御するという本来の目的には役にたたない。したがってＬ３ａｄｄｒは他の目的に用いてよい。
しかし、ＬＥと加入者端末の間に上に述べたサービスおよびサービス機能を与える別の種類のプロトコルを用いることと、他のプロトコル（例えばＶ５．２（ＥＴＳ３００  ３４７−１、節１７）に規定されているＢＣＣプロトコル）を用いることおよびこれに若干の修正を加えることは、やはりこの発明の範囲内である。
この発明の１つの形態では、Ｂチャンネルの数を制限して、より多くの帯域を異なるサービスに与えることを希望する加入者は、標準プロトコルのこの部分を用いる。したがってプロトコルのこの部分を用いて、現在提供する任意のサービスに随意のＢチャンネルを割り当て、また注目のサービスとサービス機能とＢチャンネルをＤチャンネルにより通信する。またプロトコルのこの部分に優先度と優先機能を与えて、Ｂチャンネル上のトラフィックの一時的なレベルに従って２つ以上のＢチャンネルを特定のデータサービスに割り当ててもよい。既存のプロトコルを用いることの利点は、その該当する部分を再び使用して顧客の望む仕様書を書くことができることである。しかし、必要なコンピュータユーティリティが適度であり、したがってこの新規の応用にとって最も低コストの方法なので、上に述べたＶ５．１内のプロトコルは好ましいものである。
ＡＮを加入者端末とＬＥの間に結合する場合もある。このときは、このＡＮはＬＥと加入者端末の間の送信にとって透明である。
この発明の利点は、ＰＳＴＮからＩＳＤＮ−ＢＡに高度化するときに、以前と同じサービスを確保したまま、高速のディジタル通信と音声通信が可能になることである。また、インターネットなどの共通情報網との通信を高速に行うこともできる。
この発明は、ＩＳＤＮサービスにアクセスするＩＳＤＮ基本アクセスユーザ網インターフェースと、ＰＳＴＮサービスに完全にアクセスするＰＳＴＮインターフェースの両方を有する顧客端末を与える。
【図面の簡単な説明】
この発明とその目的および利点をより完全に理解するため、添付の図面を参照して以下の説明を読んでいただきたい。
図１は、用いるプロトコルを示す。
図２は、この発明の第１の実施の形態の略ブロック図を示す。
図３は、この発明の第２の実施の形態の略ブロック図を示す。
図４は、呼の発信を示すシーケンス図である。
図５は、呼の終了を示すシーケンス図である。
実施の形態の詳細な説明
図１は標準ＥＴＳ３００  ３２４−１：１９９４、節１３に従うＶ５  ＰＳＴＮプロトコルであって、プロトコル弁別子ＰＤと、ＰＳＴＮ用のレイヤ３メッセージ内の網とユーザのインターフェースへのアドレスを示すＬ３ａｄｄｒと、送るメッセージの種類ＭＳＧと、メッセージ内の情報要素１Ｅを含む。
この発明は、呼を設定するときにＰＳＴＮサービスがＩＳＤＮ−ＢＡ内のＢチャンネルにアドレスする方法の原理に関する。図１に示すＶ５．１、節１３からのＰＳＴＮプロトコルを実際に用いる。
この発明の１つの形態では、上に述べたＶ５．１インターフェース標準（または呼を設定するときにＤチャンネルで別の情報を与える可能性のある他の種類のインターフェースプロトコル）からの原理とＰＳＴＮ信号を用いて、ＬＥと加入者端末の間で直接に伝送を行う。Ｖ５．１インターフェース標準では上に述べたプロトコルはＰＳＴＮ用に規定されており、その目的はＶ５インターフェースを通してアナログ回線信号をＬＥ内のトラフィック制御機能に転送するツールボックスとすることである。この意味は、サービスを管理しまた授受する同調を制御するのはＬＥであるということである。
この用途のプロトコルでは、Ｌ３ａｄｄｒのサイズを非常に大きくする。その理由は、Ｌ３ａｄｄｒは多くの加入者端末を処理するＡＮとＬＥの間を接続するため大量のアドレスを記憶できる大きさにするからである。したがってＬ３ａｄｄｒを他の目的に用いてもよい。つまりこの発明の１つの形態では、ＩＳＤＮ−ＢＡインターフェース内のＢチャンネルにアドレスするのに同じアドレスフィールドを用いる。
通常、このプロトコルをＡＮとＬＥの間に与えるときは、個別の加入者に個別のＢチャンネルを割り当ててＰＳＴＮまたはＩＳＤＮにより送信する。
図２に示すように、加入者は全てのその電気通信サービス機能に共通である網終端ユニット１（ＮＴＮとも呼ぶ）を備える。ユニット１は、ユーザがＰＳＴＮ５からＩＳＤＮ−ＢＡに高度化するときに、ユーザ／加入者が以前と同じサービスを確保できるようにするアクセスの種類を与える。これは、Ｖ５．１インターフェース標準（ＥＴＳ３００  ３２４−１、節１３）からの原理とＰＳＴＮ送信を用いることにより可能になる。例えば、ＥＴＲ１５０（ＥＴＳ３００  ３２４−１：１９９４  付録Ｑ、参考書目、に開示されている）に従う国内ＰＳＴＮマッピングを用いてよい。Ｖ５．１インターフェース標準の図１のプロトコルはＰＳＴＮ信号用に規定されたプロトコルであって、その目的はＶインターフェースを通してアナログ回線信号をＬＥ内のトラフィック制御機能１０に転送するツールボックスとすることである。この意味は、サービスを管理しまた授受する同調を制御するのはＬＥであるということである。
電話やコンピュータやデータ端末装置は、プロセッサと、メモリと、これに接続する装置へのインターフェースを含むユニット１に直接接続することができる。ユニット１は、ＮＴＮ（それ自体で知られていて或プロトコルに従って動作するプロセッサを備える）内の論理ＴＡ−ＰＳＴＮ２への少なくとも１つのアナログインターフェースを含み、これに通常のコネクタを用いてアナログ電話機３を接続することができる。論理ＴＡ−ＰＳＴＮ２は論理機能であって、ユニット１のプロセッサメモリに読み込まれる。ＴＡ−ＰＳＴＮ２はマッピングではなくプログラム機能であって、電話端末用の全ての可能なサービスを伝送することができる。
ディジタル装置４（１個だけ示す）もユニット１に直接接続する。この発明では論理機能ＴＡ−ＰＳＴＮ２は図１に示すプロトコルまたはその変形を用いるが、Ｌ３ａｄｄｒには所望のＰＳＴＮサービスを与えるよう修正を加える。
ユニット１は、これも論理機能の形の網終端１型５（以後はＮＴ１と呼ぶ）を備える。ＴＡ−ＰＳＴＮ２もディジタル装置からの直接接続も、ユニット１の中のＮＴ１  ５に論理的に結合する。ＴＡ−ＰＳＴＮユニット内のプロトコルを用いて、受話器をいつ取り上げて番号をダイヤルしたかを読み、ＬＥ内のプロトコルを用いて、プロセッサを有する呼制御１０と対話する。これについては後で更に説明する。このように本来このプロトコルは、ＴＡ−ＰＳＴＮ２と呼制御１０の間の動作に関係する。したがってユニット１は公衆網の一部として機能し、許可されないアクセスに対して応分の安全を与える。
ユニット１はインターフェース９を通してＬＥに接続する。インターフェース９を通して、電気通信用の少なくとも２つのＢチャンネル（例えば６４キロビット／秒）を与えることができる。また、ＩＳＤＮおよびＰＳＴＮ送信およびパケットモードサービスのための双方向Ｄチャンネル（例えば１６キロビット／秒）が与えられる。接続は好ましくはディジタル加入者回線（ＤＳＬ）１２（すなわち物理的ケーブル）であり、アクセスディジタル部での特性とパラメータについて述べているＥＴＳＩ技術報告ＥＴＲ０８０に従って標準化された種類である２Ｂ＋Ｄ（２Ｂ１Ｑ／４Ｂ３Ｔ）でよい。
この発明では、Ｂチャンネルを随意に選択することができる。その理由は、第１にユニット１とＬＥの間の通信がＤＳＬ回線１２で行われるからであり、第２にユニット１とＬＥに用いられるプロトコルのアドレスフィールドの大きさが大きいのでアドレスではなく随意選択の命令を書き込むことができるからである。当業者はプロトコル内で修正すべき機能を知れば容易にプログラミングを行うことができるので、正確なプログラミングを示す必要はない。
ＬＥ内の呼制御１０内のプロトコルはＴＡ−ＰＳＴＮ２内のプロトコルと共に動作するが、このプロトコルのアドレスフィールドＬ３ａｄｄｒ内には、ユニット１とＬＥの間で転送するためにどのＢチャンネルを選択するか、またどの網に信号を転送するか、ブロック７に示す音声信号用のＰＳＴＮかブロック８に示すデータ信号用のＩＳＤＮか、に関する命令が与えられる。これらのブロックは一般にＬＥ内に与えられ、当業者によく知られているのでこれ以上説明しない。ＬＥ内では既存のＩＳＤＮ−ＢＡ接続ハードウエアを用いることに注意していただきたい。
ブロック７の中の国内ＰＳＴＮプロトコルを制御するときに、ＴＡ−ＰＳＴＮ２と呼制御１０の間に節１３に従うＶ５．１インターフェースを用いることにより、加入者がＰＳＴＮサービスに直接接続しているのと同じサービスを加入者に与えることができる。
この発明の装置は、インターネット／オンラインサービスや、ビデオ電話や、その他のＩＳＤＮ関係のサービスなど、「高速」のＩＳＤＮアクセスサービスにも用いることができる。インターネットでは、顧客コンピュータ４は全てのインターネット応用（例えばＷＷＷ）で用いられるＩＰ（情報パケット）パケットを、要求に応じて全ての利用可能なＢチャンネルで送ることができる。この要求はプロトコル内のＬ３ａｄｄｒフィールドにより制御する。ユニット１とＬＥの間のトラフィック用として与えられたアドレス可能なＢチャンネルが少ない場合は、インターネットサービスへのＢチャンネルの割当てをデータトラフィックのレベルに依存させてよい。
また、優先手続き動作をプロトコル内のＬ３ａｄｄｒに書き込むことができる。２つの占有されたＢチャンネルの一方を自動的に切断するのは、例えば電話３の受話器を上げたときに自動的に行うことができる。この場合、インターネットとの現在のデータ接続は全て一方のＢチャンネルで継続する。これは、ＩＳＤＮのＤチャンネルにより話中着信信号を用いて行うことができる。
図３に示す実施の形態は、図２と同じ方法でＬＥを加入者ユニットＮＴＮ１’に直接接続することができるが、この技術の普通の方法でＬＥをＡＮ１１に接続することもできるし、また加入者ユニット１”をＡＮに接続することもできることを示す。後者の場合は、ＴＡ−ＰＳＴＮ２”と呼制御１０”（ＴＡ−ＰＳＴＮ２”と同じプロトコルを用いる）の間の送信にとってＡＮは「透明」である。
図４と図５の線図はこの発明の送信の原理を示すもので、ＬＥは利用可能な（すなわち、ＩＳＤＮ−ＢＡが使用していない）ＢチャンネルをＰＳＴＮ呼のために選択することを示す。
図４の線図に見るように、或加入者ユニット（電話またはコンピュータ）が他の加入者ユニットと通信したいときは、これに関するメッセージESTABLISHをプロトコル部Ｌ３ａｄｄｒ＝０（Ｂチャンネルが選択されていないことを示す）でＤチャンネルによりＬＥに送り、通信を確立する。このメッセージは常に、どのプロトコル（例えばＰＳＴＮプロトコル）を用いるかを示すステートメントで始まる。したがって、ＤチャンネルはＰＳＴＮ用とＩＳＤＮ用の別々の信号を持つ。ＬＥはこのメッセージを被呼者に送り、確立を確認する信号を受ける。
ＬＥは選択できる空いたＢチャンネルがあるかどうか調べ、空いたＢチャンネルを占有し、ユニット１とＬＥの間のインターフェース９による確立を確認し、選択されたＢチャンネルを通して接続を確立する。
このように、発信するときは（図４）まだＢチャンネルを選択していない。したがって、Ｌ３ａｄｄｒを０（すなわち選択されていない）にセットする。ＬＥにESTABLISHを受信したとき、またはそれをＰＳＴＮ端末７に送る前に、Ｂチャンネルを選択してアドレスし、Ｂ１を選択したときはＬ３ａｄｄｒ＝１に、Ｂ２を選択したときはＬ３ａｄｄｒ＝２に、Ｂｎ（ｎ＜＝３２７６７）を選択したときはＬ３ａｄｄｒ＝ｎに、セットする。Ｌ３ａｄｄｒは多レートのＢチャンネルを選択できるように構築してもよい。
図５の線図に見るように、他の加入者がＰＳＴＮの呼を終了させたいときは、オペレーション下層ケース（lower case）ESTABLISHをＬＥ呼制御１０に送る（上層ケース（upper case）はプロトコルメッセージの名前、下層ケースはプロトコルと呼制御の間のプリミティブ（primitive）やメッセージ／信号の名前）。ＬＥはＤチャンネルにより、プロトコル部Ｌ３ａｄｄｒ＝０で、ＮＴＮにオペレーションESTABLISH ACKNOWLEDGEを送って通信を終了させる。このメッセージは、どのプロトコル（例えばＰＳＴＮプロトコル）を用いるかのステートメントで始まり、ＰＳＴＮで送信すると、このオペレーションはＴＡ−ＰＳＴＮ２に影響を与える。ＮＴＮ内のＴＡ−ＰＳＴＮは確立を確認したという信号を送る。ＬＥはこの信号を他の加入者に送る。このように、ＰＳＴＮメッセージの送信は、名前FE-establish_request、FE-establish_acknowledgeを有するプリミティブであり、ＬＥにメッセージを送るときは、プリミティブFE-establish_indicationとFE-establish_acknowledge_indicationをそれぞれ生成する。このプリミティブはＰＳＴＮプロトコル機能とＬＥ内のＰＳＴＮ呼制御の間で送られる。
特定の実施の形態を参照してこの発明を説明したが、理解されるように、特許請求の範囲に開示されているこの発明の真の精神と範囲から逸れることなく、当業者は種々の変更を行いまたその要素を同等のものと置換することができる。更に、特許請求の範囲から明らかなように、この発明の重要な教示から逸れることなく修正を行うことができる。
図２のＮＴＮ１には電話機３が１台とコンピュータ装置４が１台だけ接続するように示したが、或限定された数のこれらの装置をこの発明の範囲内で設けることもできる。
【図１】
0003933694.tif 000002
【図４】
0003933694.tif 000003
【図５】
0003933694.tif 000004
【図２】
0003933694.tif 000005
【図３】
0003933694.tif 000006